(57)【要約】【課題】作業中のユーザを邪魔することなく着信やタイマ等のイベントをユーザに効率的に通知する携帯端末装置及びそのイベント通知方法を提供する。【解決手段】このため、携帯端末装置のユーザに通知するべきイベントが発生すると、表示部のアイコンエリア等にイベントの概要を簡潔に所定時間のみ表示して通知する簡略イベント通知モードと、ユーザによる形態変化をセンサ１８により検出してイベントの詳細を表示するイベント詳細通知モードとを備える。ユーザは、簡略イベント通知又はイベント詳細通知の何れかを適宜且つ簡単に選択可能である。【選択図】      図１
2014180033.tif 000002
【特許請求の範囲】
【請求項１】
ユーザが作業中に通知するべきイベントが発生した際に、表示部の表示画面にイベント通知を表示して前記ユーザに通知する携帯端末装置において、
前記表示部の表示画面の前記作業を妨げない選択されたエリアに前記イベント通知を表示するイベント表示手段を備えることを特徴とする携帯端末装置。
【請求項２】
前記イベント通知の表示時間を計測する計測手段を備え、予め設定された一定時間が経過すると前記イベント通知の表示を消すことを特徴とする請求項１に記載の携帯端末装置。
【請求項３】
前記イベント通知の表示は、通常時には前記イベントの概要のみを表示する簡略イベント表示モードで表示することを特徴とする請求項１又は２に記載の携帯端末装置。
【請求項４】
前記簡略イベント表示モードのイベント通知の表示は、前記イベント通知内容をスクロール表示することを特徴とする請求項３に記載の携帯端末装置。
【請求項５】
前記携帯端末の形状を検知する形状検知手段を備え、前記イベント通知の表示中に前記形状検出手段による形状変化を検出時には、前記イベントの詳細を表示するイベント詳細表示モードに変更することを特徴とする請求項１、２、３又は４に記載の携帯端末装置。
【請求項６】
ユーザが作業中に通知すべきイベントが発生した際に、表示部の表示画面にイべント通知を表示して前記ユーザに通知する携帯端末装置において、
前記イベント通知を前記表示部の前記作業を妨げない表示画面の選択されたエリアに前記イベントの概要を簡略イベント通知モードで表示する表示手段と、
前記簡略イベント通知モードでイベント通知を表示中に、前記携帯端末装置の形態変化を検出したとき、前記イベントの詳細をイベント詳細通知モードで表示する表示手段と、
を備えることを特徴とする携帯端末装置。
【請求項７】
前記簡略イベント通知モードの表示は、予め設定された一定時間で消えることを特徴とする請求項６に記載の携帯端末装置。
【請求項８】
前記簡略イベント通知モードの表示は、前記イベントを前記選択されたエリアにスクロール表示することを特徴とする請求項６又は７に記載の携帯端末装置。
【請求項９】
ユーザが作業中に通知すべきイベントが発生した際に、表示部の表示画面にイべント通知を表示して前記ユーザに通知する携帯端末装置のイベント通知方法において、
前記イベント通知を表示する前記表示部の前記作業を妨げない表示画面中の表示エリアを予め選択する表示エリア選択ステップと、
前記イベントの発生時に、前記イベント通知を前記選択された表示エリアに簡略イベント通知モードで表示する簡略イベント通知ステップと、
前記簡略イベント通知モードでのイベント通知の表示中に前記携帯端末装置の形態変化を検出する形態変化検出ステップと、
該形態変化検出ステップで前記携帯端末装置の形態変化の検出時に、前記イベントの詳細を通知するイベント詳細通知モードに変更する表示モード変更ステップと、
を備えることを特徴とする携帯端末装置のイベント通知方法。
【請求項１０】
前記簡略イベント通知は、予め設定された一定時間表示され、該一定時間経過後には前記簡略イベント通知が消えることを特徴とする請求項９に記載の携帯端末装置のイベント通知方法。
【請求項１１】
前記簡略イベント通知の表示時間を、前記ユーザが任意に設定する表示時間設定ステップを更に備えることを特徴とする請求項９に記載の携帯端末装置のイベント通知方法。
【発明の詳細な説明】
【技術分野】
【０００１】
本発明は携帯端末装置及びそのイベント通知方法に関し、特に携帯電話等の通信機能を有する携帯端末装置及びその作業中に発生するイベントを表示部に表示してユーザに通知する携帯端末装置のイベント通知方法に関する。
【背景技術】
【０００２】
携帯電話や携帯情報端末等の携帯端末装置は、携帯型の情報送受信手段として広く普及している。斯かる携帯端末装置にあっては、比較的狭いサービスエリアを有する多数の無線基地局を介して携帯端末装置との間で無線通信して他の携帯端末装置又は固定通信装置との間で双方向の通信を可能にしている。
【０００３】
斯かる携帯端末装置は、単なる通話手段としての用途以外に地上デジタルテレビジョン（ＴＶ）放送の受信、ネットワークを介して取得する音楽データの再生及びその他多くのアプリケーションがある。そこで、携帯端末装置の作業中、即ち携帯端末装置で例えば斯かるＴＶ放送の受信中に、電話の着信、設定されたアラームの出力、目覚ましタイマの設定時間の到来、スケジューラによる特定行事の通知等（以下、これらを総称してイベントという）をユーザに通知する必要がある。
【０００４】
斯かるイベント通知は、携帯端末装置のユーザにとって、極めて重要であり無視又は軽視できない。しかし、例えばＴＶ映像の重要場面又は盛り上がった（クライマックス）シーンでイベント通知が表示画面上に表示されるのは、作業を中断するので好ましくない。そこで、作業中のユーザの不便を抑えると共に必要なイベントをユーザに通知する関連技術は、幾つかの技術文献に開示されている（例えば、特許文献1参照。）。
【０００５】
即ち、この特許文献1には地上デジタルＴＶを受信するＴＶ放送用アンテナ及びチューナ部を備え、受信したＴＶ映像を表示パネルに表示する。ユーザがこのＴＶ映像を視聴中に電話通信の着信や電子メールの受信があると、表示画面中に携帯電話機又は封筒を表すアイコンを表示して、電話通信の着信や電子メールの受信をユーザに通知する情報端末装置が開示されている。このアイコンの通知を受けて、ユーザは作業を中断して直ちに着信に応答するか又はその後の適当な時間に電子メールを開封することが可能である。また、この情報端末装置の表示部を縦長状態で使用中には、表示画面を上下２段に分割して一方にＴＶ映像を表示し、他方に文字等によりイベントの詳細を表示する。
【先行技術文献】
【特許文献】
【０００６】
【特許文献１】特開２００７−１４２７６２号公報（第５−７頁、第１図）
【発明の概要】
【発明が解決しようとする課題】
【０００７】
上述の如き関連技術は、幾つかの課題を有する。先ず、表示画面中にイベント通知が表示されると、作業（例えばＴＶの視聴）が中断され、重要な情報を逃がす虞がある。また、作業の中断を生じることがなくとも、表示画面中に表示されるアイコン等は、作業を中断することはなくとも、表示画面に表示される映像と干渉又は邪魔をすることとなる。
【０００８】
本発明は、関連技術の上述の如き課題に鑑みなされたものであり、斯かる課題を解消又は軽減可能な携帯端末装置及びそのイベント表示方法を提供することを目的とする。
【課題を解決するための手段】
【０００９】
本発明の携帯端末装置は、次の如き特徴的な構成を採用している。即ち、
（１）ユーザが作業中に通知するべきイベントが発生した際に、表示部の表示画面にイベント通知を表示して前記ユーザに通知する携帯端末装置において、
前記表示部の表示画面の前記作業を妨げない選択されたエリアに前記イベント通知を表示するイベント表示手段を備える携帯端末装置。
【００１０】
また、本発明の携帯端末装置は、次の如き特徴的な構成を採用している。即ち、
（６）ユーザが作業中に通知すべきイベントが発生した際に、表示部の表示画面にイベント通知を表示して前記ユーザに通知する携帯端末装置において、
前記イベント通知を前記表示部の前記作業を妨げない表示画面の選択されたエリアに前記イベントの概要を簡略イベント通知モードで表示する表示手段と、
前記簡略イベント通知モードでイベント通知を表示中に、前記携帯端末装置の形態変化の検出したとき、前記イベントの詳細をイベント詳細通知モードで表示する表示手段と、
を備える携帯端末装置。
【００１１】
更に、本発明の携帯端末装置のイベント表示方法は、次の如き特徴的な構成を採用している。即ち、
（９）ユーザが作業中に通知すべきイベントが発生した際に、表示部の表示画面にイベント通知を表示して前記ユーザに通知する携帯端末装置のイベント通知方法において、
前記イベント通知を表示する前記表示部の前記作業を妨げない表示画面中の表示エリアを予め選択する表示エリア選択ステップと、
前記イベントの発生時に、前記イベント通知を前記選択された表示エリアに簡略イベント通知モードで表示する簡略イベント通知ステップと、
前記簡略イベント通知モードでのイベント通知の表示中に前記携帯端末装置の形態変化を検出する形態変化検出ステップと、
該形態変化検出ステップで前記携帯端末装置の形態変化の検出時に、前記イベントの詳細を通知するイベント詳細通知モードに変更する表示モード変更ステップと、
を備える携帯端末装置のイベント通知方法。
【発明の効果】
【００１２】
本発明の携帯端末装置及びそのイベント通知方法によると、次の如き実用上の特有の効果を奏する。第１に、ユーザの作業を妨げることなく簡単にイベント通知が可能である。第２に、簡略イベント通知は、アイコンエリア等に文字やアイコンで一目瞭然に行うことが可能である。第３に、簡略イベント通知では、イベントをスクロールで表示するので限られた表示エリア（スペース）に比較的長文のメッセージが表示可能である。第４に、簡略イベント通知では、表示時間を決めているので表示時間の経過後には次のイベント通知が可能であり、またこの表示時間は必要に応じてユーザが任意に設定可能である。第５に、ユーザが筐体の形状を変更することにより、簡略イベント表示モードと詳細イベント表示を容易に選択可能である。
【図面の簡単な説明】
【００１３】
【図１】本発明による携帯端末装置の好適実施例の構成を示すブロック図である。
【図２】図１に示す携帯端末装置の筐体の変化状態を示し、（Ａ）は「閉」状態及び（Ｂ）は「開」状態を示す。
【図３】本実施例の携帯端末装置のイベント通知モードの説明図であり、（Ａ）は簡略イベント通知モード及び（Ｂ）は詳細イベント通知モードの具体例である。
【図４】本実施例の携帯端末装置の動作を説明するフローチャートである。
【図５】本実施例の携帯端末装置における簡略イベント通知モードの動作を説明するフローチャートである。
【発明を実施するための形態】
【００１４】
以下、本発明による携帯端末装置及びそのイベント表示方法の好適な実施例の構成及び動作を、添付図面を参照して詳細に説明する。
【００１５】
先ず、図１は、本発明による携帯端末装置の好適な実施例の構成を示すブロック図である。この携帯端末装置１０は、制御手段であるＣＰＵ（中央処理装置）１２、通信部１４、表示部１６及びセンサ（ヒンジ部センサ）１８により構成されている。そして、通信部１４、表示部１６及びセンサ１８は、ＣＰＵ１２に接続され、その制御下で動作するように構成されている。
【００１６】
通信部１４は、アンテナ（図示せず）を含み、無線基地局（図示せず）を介して他の携帯端末装置、固定電話端末、ＰＣ（パーソナルコンピュータ）等の通信装置と無線通信する。表示部１６はユーザとのインタフェースであって、例えば矩形状の表示画面を有する液晶表示パネルであって、通信部１４を介して受信したＴＶ映像等の画像情報又は文字情報を表示可能に構成されている。センサ１８は、後述する如く、携帯端末装置１０の形状変化（開閉状態）を検出してＣＰＵ１２に検出結果を通知する。ＣＰＵ１２は、各部の動作を制御する。尚、この携帯端末装置１０は、キーボード等の入力装置、音声情報を入出力する送受話器等を備えていることについては一般の携帯端末装置と同様であるが、これらは本実施例に直接関係しないので、ここでは省略することとする。
【００１７】
図１に示す携帯端末装置１０の全体動作を説明する。携帯端末装置１０の通信部１４に外部の通信装置（図示せず）から着信又はその他のイベントが発生すると、ＣＰＵ１２の制御下でその旨を表示部１６に表示してユーザに対して視覚的に通知する。本実施例の携帯端末装置１０は、電話やメールの着信、アラーム等を現在行っている作業の邪魔にならないようにユーザに通知する通知手段を備えたこと及びこの通知時にユーザが携帯端末装置１０の形状を変化させることにより、通知中の機能を自動起動する起動手段を備えていることを特徴とする。
【００１８】
図１に示す携帯端末装置１０において、ユーザが１つのアプリケーションを使用中に、通信部１４やＣＰＵ１２からのアラーム表示で通知すべきイベントが発生し得る。尚、ここでアラームとは、目覚ましやタイマ等の特定の時間で通知をするもの及びスケジューラのように特定の日の行事を通知するものを総称するものとする。このイベントが発生すると、表示部１６の表示画面においてアプリケーション作業の妨げにならない選択された表示エリアに、イベント通知の内容（以下、イベント表示ともいう）を表示する。
【００１９】
ここで、表示部１６のイベント表示は、次の（即ち、後続して発生する）新しいイベントを表示可能にするために、予め設定された一定の時間で消えることとする。また、詳細は後述する如く、イベントが表示されている間にユーザが携帯端末装置１０の筐体の形状を変化させる動作を行った場合には、イベント表示に関連するアプリケーションを起動し、イベントの詳細表示を行う。例えば、キーボードが使用できない携帯端末装置１０の筐体形状で表示部１６の表示画面を見ているときに、イベント表示が発生したと仮定する。イベントが表示部１６の表示画面に表示されている間に、ユーザがキーボード使用可能形状に変化させると、このイベントの詳細を表示するアプリケーションが起動され、このイベントの詳細表示モードに移行する。
【００２０】
上述の如く、本実施例の携帯端末装置及びそのイベント通知方法では、イベントを通知する手段と通知されたイベントに関連する機能を自動起動させ、スムーズな作業の移行を可能にするものである。以下、本発明の実施例の具体的な動作を詳細に説明する。
【００２１】
尚、図１に示す携帯端末装置１０において通信を行う通信部１４、情報処理及び各種制御を行うＣＰＵ１２及び情報を表示する表示部１６は、当業者にとり周知であるので、詳細説明は省略する。ヒンジ部センサ（センサ）１８は、携帯端末装置１０の形態、即ちキーボード部（図示せず）及び表示部１６の接続部の状態を監視する。
【００２２】
ここで、図２に示す如く、携帯端末装置１０は、例えばキーボード部２２を含む第１部分２０及び表示部３２を含む第２部分３０がヒンジ部４０を介して開閉自在に形成されているとする。これら両部分２０及び３０をヒンジ部４０を介して折畳むと、携帯端末装置１０は、図２（Ａ）に示す如く閉じた状態（第１状態）となる。一方、ヒンジ部４０において両部分２０及び３０を開くと、図２（Ｂ）に示す如く開いた状態（第２状態）となる。即ち、携帯端末装置１０は、ユーザによるヒンジ部４０の操作により、第１状態と第２状態間でその形態を変化することが可能である。図２（Ａ）に示す第１状態において、ユーザは第２部分３０の外面に設けられた表示部（表示パネル）３４に、例えばＴＶ画像を表示させて、携帯端末装置１０でＴＶ画像を視聴することが可能である。他方、携帯端末装置１０の第２状態では、ユーザはキーボード２２を操作して通話相手の電話番号を入力することにより通話したり又は電子メールで送信するメッセージの入力等が可能である。尚、この携帯端末装置１０の形態変化は、図２に示す具体例（上下方向への開閉）に限定されず、左右方向への開閉、縦横回転その他種々の形態変化が可能である。センサ１８は、携帯端末装置１０の斯かる形態変化（即ち、物理的な形状変化）を検出するものとする。
【００２３】
上述の如く、携帯端末装置１０は、図２（Ａ）に示す第１状態から図２（Ｂ）に示す第２状態への変化Ａ及び図２（Ｂ）に示す第２状態から図２（Ａ）に示す第１状態への変化Ｂが可能である。そして、携帯端末装置１０の状態変化（又は状態遷移）Ａ又はＢは、ユーザが必要に応じて任意に選択が可能である。図３は、本実施例による携帯端末装置１０の上述した２つの状態における使用例を示している。図３（Ａ）は、携帯端末装置１０の上述した表示部３４の表示画面の主要部３４ａにＴＶ映像を表示すると共にその余白部分３４ｂにイベントを通知している具体例を示している。この状態におけるイベント通知は、ＴＶの視聴を妨げないエリア、例えば表示画面の最上部（又は最下部）のアイコン表示エリアに簡略表示である「会社」及び「至急会社に連絡をしてください」等のメッセージを表示する。この際に、表示メッセージが表示エリアに対して比較的長い場合には、例えば１行のみにスクロール表示することが可能である。これにより、携帯端末装置１０のユーザには、会社から緊急メッセージの着信があったことが通知され、ユーザは適切に対応可能である。
【００２４】
尚、図３（Ａ）に示すイベント通知中、即ち「イベント通知モード」において、ユーザが携帯端末装置１０の状態を図２（Ｂ）に示す第２状態に状態変化させると、センサ１８は、ヒンジ部４０の状態変化を検出し、図３（Ｂ）に示す「イベント詳細表示」モードへ移行する。即ち、携帯端末装置１０の筐体形状が変わり、表示部の表示画面は横から縦に変化する。そして、イベントの詳細であるイベント発生日時、会社、その連絡先の電子メールアドレス、「至急会社に連絡してください」等のメッセージ及び発信者等の関連事項を含むイベントの詳細が表示される。
【００２５】
次に、図４に示すフローチャートを使用して、本実施例による携帯端末装置１０の動作又は携帯端末装置のイベント通知方法を一層詳しく説明する。図４において、ＣＰＵ１２でイベント発生が検知される（ステップＡ１）。先ず、そのイベントに関するユーザへの簡略通知であるイベント表示を行う（ステップＡ２）。この簡略通知では、必要に応じて上述の如くイベント内容をスクロールして表示する。また、イベントの表示時間が決まっているため、この簡略通知のイベント表示は、予め設定した所定時間内に表示可能な文字数に制限する。
【００２６】
次に、このイベントの簡略通知のイベント表示中にユーザが携帯端末装置１０のヒンジ部４０を操作して、その状態変化があるか否かを判断する（ステップＡ３）。本実施例にあっては、携帯端末装置１０の状態又は形態変化により、その後の処理が変わる。ここでは、携帯端末装置１０の筐体が図２（Ａ）に示す「閉」状態から図２（Ｂ）に示す「開」状態になると、この簡略通知モードは終了し、イベントの詳細を表示するアプリケーションを起動する（ステップＡ６）。 そして、対象とするイベントの詳細データを表示する（ステップＡ７）。それ以外の状態では、経過時間の監視を行う（ステップＡ４）。イベント表示を行って一定の時間（例えば１５秒）が経過すると、簡略イベント通知を消去してこの簡略イベント通知モードの表示を終了する（ステップＡ５）。この一定時間が経過しない場合には、上述したステップＡ３へ戻り、一定時間の経過を待つ。）
尚、上述した図４のフローチャートでは、ステップＡ３において、携帯端末装置１０が「閉」状態から「開」状態へ変化した場合に、アプリケーションの起動（ステップＡ６）を行っている。しかし、これは携帯端末装置１０の1例であって、何らこれに限定するものではない。携帯端末装置１０は、筐体の形状により、形状の変化は「開」→「閉」、回転その他の変化にも定義できる。更に、ステップＡ４において一定の時間経過としたが、別途設定画面を設けて、ユーザが任意の値（経過時間）を設定することも可能である。
【００２７】
次に、図５は、上述した簡略通知モードにおけるスクロール表示を説明するフローチャートである。先ず、発生したイベントの概要を取得する（ステップＢ１）。このイベント概要に基づく文字列を表示する（ステップＢ１）。次に、表示時間が予め設定した時間「Ｘ」を経過したか否かを判断する（ステップＢ３）。 表示時間が「Ｘ」以上の場合には、表示を消して終了する（ステップＢ６）。他方、表示時間が「Ｘ」未満であれば、文字列の終端か否かを判断する（ステップＢ４）。文字列の終端であれば（ステップＢ４:Ｙｅｓ）、文字列を先頭に戻す（ステップＢ５）。 文字列の終端でなければ（ステップＢ４:Ｎｏ）、上述したステップＢ２へ戻り、スクロール表示する。
【００２８】
次に、本発明の携帯端末装置及びそのイベント表示方法の他の実施例について説明する。上述した簡略イベント表示モードにおいて、ユーザがイベントの通知（又は表示）時間を変化又は自由に設定する手段を備える。この手段によれば、表示時間を延ばすと例えばメール内容を読むことが可能になる。他方、短くすれば、直ぐに通知又は表示が消えるので、ユーザの目障りを少なくすることが可能である。
【００２９】
また、イベント種類を選択するイベント選択手段を備える。例えば携帯電話等の携帯端末装置にとって着信を知らせるのは必須である。しかし、このイベント選択手段を使ってユーザに通知する内容を選択することが可能になる。着信には、音声通話、テレビ電話通話及び電子メール等があげられる。また、イベントとしては、目覚まし時計やスケジューラ等の特定の時間になったことを知らせるものがあげられる。これらイベントを選択することにより、ユーザの必要な情報のみを選択的に通知することができる。更に、簡略通知モードの表示は、文字ではなくアニメやアイコン等でもよく、その場合には豊かな表現が可能になる。
【００３０】
以上、本発明による携帯端末装置及びそのイベント通知方法の好適な実施例について詳述した。しかし、斯かる実施例は、本発明の単なる例示に過ぎず、何ら本発明を限定するものではないことに留意されたい。本発明の要旨や精神を逸脱することなく、特定用途に応じて種々の変形変更が可能であること、当業者には容易に理解できよう。例えば、本発明の実施態様は、課題を解決するための手段における構成（１）、（６）及び（９）に加えて次のような構成として表現できる。
【００３１】
（２）前記イベント通知の表示時間を計測する計測手段を備え、予め設定された一定時間が経過すると前記イベント通知の表示を消す上記（１）の携帯端末装置。
【００３２】
（３）前記イベント通知の表示は、通常時には前記イベントの概要のみを表示する簡略イベント表示モードで表示する上記（１）又は（２）の携帯端末装置。
【００３３】
（４）前記簡略イベント表示モードのイベント通知の表示は、前記イベント通知内容をスクロール表示する上記（３）の携帯端末装置。
【００３４】
（５）前記携帯端末の形状を検知する形状検知手段を備え、前記イベント通知の表示中に前記形状検出手段による形状変化を検出時には、前記イベントの詳細を表示するイベント詳細表示モードに変更する上記（１）、（２）、（３）又は（４）の携帯端末装置。
【００３５】
（７）前記簡略イベント通知モードの表示は、予め設定された一定時間で消える上記（６）の携帯端末装置。
【００３６】
（８）前記簡略イベンツ通知モードの表示は、前記イベントを前記選択されたエリアにスクロール表示する上記（６）又は（７）の携帯端末装置。
【００３７】
（１０）前記簡略イベント通知は、予め設定された一定時間表示され、該一定時間経過後には前記簡略イベント通知が消える上記（９）の携帯端末装置のイベント通知方法。
【００３８】
（１１）前記簡略イベント通知の表示時間を、前記ユーザが任意に設定する表示時間設定ステップを更に備える上記（９）の携帯端末装置のイベント通知方法。
【００３９】
本出願は２００７年１０月２４日に出願された日本出願特願２００７−２７５９３６を基礎とする優先権を主張し、その開示の全てをここに取り込む。
【符号の説明】
【００４０】
１０    携帯端末装置
１２    ＣＰＵ
１４    通信部
１６    表示部
１８    センサ（ヒンジ部センサ）
２０    第１筐体部分
２２    キーボード部
３０    第２筐体部分
３２、３４    表示部
【図１】
2014180033.tif 000003
【図２】
2014180033.tif 000004
【図３】
2014180033.tif 000005
【図４】
2014180033.tif 000006
【図５】
2014180033.tif 000007